(57)【要約】【課題】従来の堆肥及び畜産動物の糞尿を処理して肥料、燃料にする場合に、乾燥させても堆肥及び糞尿の臭いが除去できず環境的にも問題であった。【解決手段】堆肥及び畜産動物の糞尿等に消臭液を注入して、堆肥、糞尿と消臭液と一緒に攪拌し、攪拌された液のＢＯＤ値が所定値以下になったときに固液分離して固形物と液体分に分離し、固形物は細分化して乾燥することにより、悪臭を除去した状態で保存できるようにし、液体分はＳＳ値が所定値以下になって後に、消臭液として再利用可能にする。【選択図】        図１
2011078906.tif 000002
【特許請求の範囲】
【請求項１】
動植物性有機廃棄物等と、光合成菌を含み脱窒作用を有する消臭液とを混合した混合物を生成し、前記混合物を撹拌する撹拌手段と、前記混合物の生物化学的酸素要求量（以下ＢＯＤ値という）が第１の所定値以下あるいは撹拌に関係する動作の開始から第１の所定時間以上を経過したことを検知する第１の検知手段と、第１の検知手段によりＢＯＤ値が所定値以下あるいは撹拌に関係する動作の開始から第１の所定時間以上を経過したことを検知したときに、前記撹拌された混合物から固形物と液体に分離する分離手段に導くよう制御する制御手段とを備えた動植物有機廃棄物等処理装置。
【請求項２】
前記液体の懸濁物質（以下ＳＳ値という）が所定値以下あるいは沈殿槽または上澄液槽に収容してから第２の所定時間以上経過したことを検知する第２の検知手段を備え、前記光合成菌の作用により前記分離された液体を前記液体に残留した微粒子を略消滅し、前記液体のＳＳ値が所定値以下あるいは沈殿槽または上澄液槽に収容してから第２の所定時間以上を経過したことを検知したときに、前記制御手段により前記液体を前記消臭液に導くよう制御する請求項１に記載の動植物有機廃棄物等処理装置。
【請求項３】
前記液体を液体肥料または消臭液として利用するかを選択する第１の選択手段を備えた請求項１に記載の動植物有機廃棄物等処理装置。
【請求項４】
前記固形物を粉末燃料またはかたまり状燃料にするかを選択する第２の選択手段を備えた請求項１に記載の動植物有機廃棄物等処理装置。
【請求項５】
前記液体に挿入し、前記液体の沈殿部分を吸着させる吸着手段と、該吸着手段を吸着させた状態で乾燥させる乾燥手段と、該乾燥手段で乾燥させた前記吸着手段と前記沈殿部分を燃焼させる燃焼手段とを備えた請求項１に記載の動植物有機廃棄物等処理装置。
【請求項６】
動植物性有機廃棄物等と、光合成菌を含み脱窒作用を有する消臭液とを混合した混合物を生成し、前記混合物を撹拌する撹拌するステップと、前記混合物のＢＯＤ値が第１の所定値以下あるいは撹拌に関係する動作の開始から第１の所定時間以上を経過したことを検知するステップと、第１の検知手段によりＢＯＤ値が所定値以下あるいは撹拌に関係する動作の開始から第１の所定時間以上を経過したことを検知したときに、前記撹拌された混合物から固形物と液体に分離するよう制御するステップとを備えた動植物有機廃棄物等処理方法。
【請求項７】
前記液体のＳＳ値が所定値以下あるいは上澄液槽または沈殿槽に収容してから第２の所定時間以上経過したことを検知するステップと、前記光合成菌の作用により前記分離された液体を前記液体に残留した微粒子を略消滅し、前記液体のＳＳ値が所定値以下あるいは上澄液槽または沈殿槽に収容してから第２の所定時間以上を経過したことを検知したときに、前記液体を前記消臭液に導くよう制御する請求項６に記載の動植物有機廃棄物等処理方法。
【請求項８】
前記液体を消臭液として使用するか液体肥料として利用するかを選択するステップを備えた請求項６に記載の動植物有機廃棄物等処理方法。
【請求項９】
前記固形物を粉末燃料またはかたまり状燃料にするかを選択するステップを備えた請求項６に記載の動植物有機廃棄物等処理方法。
【請求項１０】
前記液体に挿入し、前記液体の沈殿部分を吸着させるステップと、前記吸着させた状態で乾燥させるステップと、該乾燥された前記吸着手段と前記沈殿部分を燃焼させるステップとを備えた請求項６に記載の動植物有機廃棄物等処理方法。
【請求項１１】
前記消臭液は耐アルカリ性光合成細菌（Ｒｈｏｄｏｐｓｅｕｄｏｍｏｎａｓ）、耐アルカリ性ラン色細菌（Ｓｙｎｅｃｈｏｃｏｃｃｕｓ）であり、より具体的には、耐アルカリ性でバクテリアクロロフィルａ、ノイロスポレン、リオコピンを有する光合成細菌（Ｒｈｏｄｏｐｓｅｕｄｏｍｏｓ）Ａ株、耐アルカリ性でバクテリアクロロフィルａ、ノイロスポレンを有する光合成細菌（Ｒｈｏｄｏｐｓｅｕｄｏｍｏｓ）Ｂ株、耐アルカリ性でクロロフィルａ、およびβカロチンを有すラン色細菌（Ｓｙｎｅｃｈｏｃｏｃｃｕｓ）Ｃ株から選ばれた少なくとも一つを含む微生物群である液を含む請求項１及び請求項６に記載の
動植物性有機廃棄物処理装置及び方法。
【請求項１２】
耐アルカリ性でバクテリアクロロフィルａ、ノイロスポレン、リオコピンを有する光合成細菌Ｒｈｏｄｏｐｓｅｕｄｏｍｏｓ Ａ株（受託番号ＦＥＲＭ Ｐ−１９４３２）である請求項１１に記載の動植物性有機廃棄物処理装置及び方法。
【請求項１３】
耐アルカリ性でバクテリアクロロフィルａ、ノイロスポレンを有する光合成細菌Ｒｈｏｄｏｐｓｅｕｄｏｍｏｓ Ｂ株（受託番号ＦＥＲＭ Ｐ−１９４３１）である請求項１１に記載の動植物性有機廃棄物処理装置及び方法。
【請求項１４】
配列番号１記載の１６ｓ ｒＤＮＡ分子を有する光合成細菌Ｒｈｏｄｏｐｓｅｕｄｏｍｏｓ Ａ株である請求項１１に記載の動植物性有機廃棄物処理装置及び方法。
【請求項１５】
配列番号２記載の１６ｓ ｒＤＮＡ分子を有する光合成細菌Ｒｈｏｄｏｐｓｅｕｄｏｍｏｓ Ｂ株である請求項１１に記載の動植物性有機廃棄物処理装置及び方法。
【発明の詳細な説明】
【技術分野】
【０００１】
本発明は、悪臭を発生する堆肥を含み、動物の糞尿、焼酎粕等の動植物性有機廃棄等の脱窒と汚濁液の微粒子を消滅させる処理装置及び処理方法に関し、特に、動植物性有機廃棄物、堆肥等の悪臭を除去し、消臭液、液体肥料の製造及び燃料の製造を行う処理装置及び方法に関する。
【背景技術】
【０００２】
従来、有機性食品廃棄物及び畜産動物の廃棄物を乾燥させて例えばペレット状のようなかたまり状にして肥料または燃料として用いる方法は、例えば特許文献１に示されている。また、有機性廃棄物を発酵、減容せしめた後、該廃棄物を圧縮固形化して、定型的に成型したペレットとして堆肥にし、無臭化するための方法として含有水分率を制御する方法が特許文献２に示されている。
【０００３】
特許文献３は、堆肥及び畜産動物の糞尿等に消臭液を注入して、堆肥、糞尿と消臭液と一緒に撹拌し、撹拌された液を固液分離して分離固形物と液体に分離し、分離固形物と木屑、チップとを混合し、その混合物を細分化して乾燥することにより、悪臭を除去した状態で保管でき、更に、燃焼させても悪臭が発生しないことが示されている。
【先行技術文献】
【特許文献】
【０００４】
【特許文献１】特表２００２−５２４０９３号公報
【特許文献２】特開平１１−１１６３６９号公報
【特許文献３】特開２００８−２２９５８５号公報
【発明の概要】
【発明が解決しようとする課題】
【０００５】
以上に述べた従来の堆肥及び畜産動物の糞尿等の処理装置及び処理方法で、特許文献１は糞便の表面積を拡大し、悪臭がでないように乾燥させる技術が開示されている。また特許文献２では含有水分率を制御することにより悪臭をなくす方法が開示されている。ともに糞便の表面積を広くし、含有水分率を下げるため乾燥または含水率を制御するなどしていたが、糞便の消臭処理の開始前に悪臭が漂うなど欠点を有している。
【０００６】
また、特許文献３は、堆肥または畜産等の糞尿物に対して消臭液を注入して混合したのちに撹拌機から固液分離機に撹拌混合された糞尿等の臭いが十分に消えたかどうかを確認しないうちに、固液分離機に導くと、その周りが臭くなり周りの人に迷惑をかけることになる。また、上澄液から得た消臭液を消臭液貯留槽に導いているが上澄液といえども分離固形物が残留している可能性があり、消臭液としての働きが不十分な場合がある。
【０００７】
本発明は、このような従来の構成が有していた問題を解決しようとするものであり、糞尿、堆肥自体が悪臭成分を有しているので、まず動物性有機廃棄物等に消臭液を入れて撹拌して生物化学的酸素要求量（以下ＢＯＤ値という）が低下することによりその悪臭を除去して、その後、固液分離して固体部分は燃料として、液体部分は微粒子を除去して再度、懸濁物質値（以下ＳＳ値という）が所定値以下になって消臭液として用いることを目的とするものである。
【課題を解決するための手段】
【０００８】
本発明の請求項１は、動植物性有機廃棄物等と、光合成菌を含み脱窒作用を有する消臭液とを混合した混合物を生成し、前記混合物を撹拌する撹拌手段と、前記混合物の生物化学的酸素要求量（以下ＢＯＤ値という）が第１の所定値以下あるいは撹拌に関係する動作の開始から第１の所定時間以上を経過したことを検知する第１の検知手段と、第１の検知手段によりＢＯＤ値が所定値以下あるいは撹拌に関係する動作の開始から第１の所定時間以上を経過したことを検知したときに、前記撹拌された混合物から固形物と液体に分離する分離手段に導くよう制御する制御手段とを備えた動植物有機廃棄物等処理装置を提供するものである。撹拌手段から固形分離手段に移す際に、ＢＯＤ値が所定値以下に下がっているので周りに悪臭を漂わせるようなことがない。
【０００９】
請求項２は、前記液体の懸濁物質（以下ＳＳ値という）が所定値以下あるいは沈殿槽または上澄液槽に収容してから第２の所定時間以上経過したことを検知する第２の検知手段を備え、前記光合成菌の作用により前記分離された液体を前記液体に残留した微粒子を略消滅し、前記液体のＳＳ値が所定値以下あるいは沈殿槽または上澄液槽に収容してから第２の所定時間以上を経過したことを検知したときに、前記制御手段により前記液体を前記消臭液に導くよう制御する請求項１に記載の動植物有機廃棄物等処理装置を提供することにある。これによりＳＳ値を第２の所定値以下に抑えた液体を消臭液として再利用することができる。
【００１０】
請求項３は、前記液体を液体肥料または消臭液として利用するかを選択する第１の選択手段を備えた請求項１に記載の動植物有機廃棄物等処理装置を提供するものであり、固液分離された分離液体を液体肥料として使うか消臭液として使うか選択することができる。
【００１１】
請求項４は、前記固形物を粉末燃料またはかたまり状燃料にするかを選択する第２の選択手段を備えた請求項１に記載の動植物有機廃棄物等処理装置を提供するものであり、固液分離された分離固形物を粉末燃料として使うか、かたまり状燃料のようにかたまり状の燃料として使うか選択することが可能となる。
【００１２】
請求項５は、前記液体に注入された吸着手段と、該吸着手段を前記液体の沈殿部分に吸着させた状態で乾燥させる乾燥手段と、該乾燥手段で乾燥させた前記吸着手段と前記沈殿部分を燃焼させる燃焼手段とを備えた請求項２に記載の動植物有機廃棄物等処理装置を提供するものであり、沈殿部分を吸着手段に吸着させて固形化しやすくするものである。
【００１３】
請求項５は、前記液体に挿入し、前記液体の沈殿部分を吸着させる吸着手段と、該吸着手段を吸着させた状態で乾燥させる乾燥手段と、該乾燥手段で乾燥させた前記吸着手段と前記沈殿部分を燃焼させる燃焼手段とを備えた請求項１に記載の動植物有機廃棄物等処理装置を提供するものである。
【００１４】
請求項６は、動植物性有機廃棄物等と、光合成菌を含み脱窒作用を有する消臭液とを混合した混合物を生成し、前記混合物を撹拌する撹拌するステップと、前記混合物のＢＯＤ値が第１の所定値以下あるいは撹拌に関係する動作の開始から第１の所定時間以上を経過したことを検知するステップと、第１の検知手段によりＢＯＤ値が所定値以下あるいは撹拌に関係する動作の開始から第１の所定時間以上を経過したことを検知したときに、前記撹拌された混合物から固形物と液体に分離するよう制御するステップとを備えた動植物有機廃棄物等処理方法を提供するものであり、固形分離する前にＢＯＤ値が所定の値以下になっているので周りに悪臭を漂わせることがない。
【００１５】
請求項７は、前記液体のＳＳ値が所定値以下あるいは上澄液槽または沈殿槽に収容してから第２の所定時間以上経過したことを検知するステップと、前記光合成菌の作用により前記分離された液体を前記液体に残留した微粒子を略消滅し、前記液体のＳＳ値が所定値以下あるいは上澄液槽または沈殿槽に収容してから第２の所定時間以上を経過したことを検知したときに、前記液体を前記消臭液に導くよう制御する請求項６に記載の動植物有機廃棄物等処理方法を提供するものであり、消臭液にする前にＳＳ値を所定値以下にさげた消臭液として使用できる。
【００１６】
請求項８は、前記液体を消臭液として使用するか液体肥料として利用するかを選択するステップを備えた請求項６に記載の動植物有機廃棄物等処理方法を提供するものである。
【００１７】
請求項９は、前記固形物を粉末燃料またはかたまり状燃料として利用するかを選択するステップを備えた請求項６に記載の動植物有機廃棄物等処理方法を提供するものであり、前記沈殿部分を吸着手段に吸着させ、固形化を容易にするものである。
【００１８】
請求項１０は、前記液体に挿入し、前記液体の沈殿部分を吸着させるステップと、前記吸着させた状態で乾燥させるステップと、該乾燥された前記吸着手段と前記沈殿部分を燃焼させるステップとを備えた請求項６に記載の動植物有機廃棄物等処理方法を提供するものである。
【００１９】
請求項１１は、前記消臭液は耐アルカリ性光合成細菌（Ｒｈｏｄｏｐｓｅｕｄｏｍｏｎａｓ）、耐アルカリ性ラン色細菌（Ｓｙｎｅｃｈｏｃｏｃｃｕｓ）であり、より具体的には、耐アルカリ性でバクテリアクロロフィルａ、ノイロスポレン、リオコピンを有する光合成細菌（Ｒｈｏｄｏｐｓｅｕｄｏｍｏｓ）Ａ株、耐アルカリ性でバクテリアクロロフィルａ、ノイロスポレンを有する光合成細菌（Ｒｈｏｄｏｐｓｅｕｄｏｍｏｓ）Ｂ株、耐アルカリ性でクロロフィルａ、およびβカロチンを有すラン色細菌（Ｓｙｎｅｃｈｏｃｏｃｃｕｓ）Ｃ株から選ばれた少なくとも一つを含む微生物群である液を含む請求項１及び請求項６に記載の動植物性有機廃棄物等処理装置及び方法を提供するものである。
【００２０】
上記光合成細菌Ｒｈｏｄｏｐｓｅｕｄｏｍｏｎａｓは、耐アルカリ性でバクテリアクロロフィルａ、ノイロスポレンを有する光合成細菌ＲｈｏｄｏｐｓｅｕｄｏｍｏｓＢ株（受託番号ＦＥＲＭ Ｐ−１９４３１）である。
【００２１】
このＡ株は、配列番号１記載の１６ｓ ｒＤＮＡ分子を有する光合成細菌Ｒｈｏｄｏｐｓｅｕｄｏｍｏｓである。
【００２２】
このＢ株は、配列番号２記載の１６ｓ ｒＤＮＡ分子を有する光合成細菌Ｒｈｏｄｏｐｓｅｕｄｏｍｏｓである。
【発明の効果】
【００２３】
上述したように、本発明の動植物性有機廃棄物等処理装置及び方法では、まず動植物性有機廃棄物等に消臭液を注入し、撹拌機で撹拌後、固液分離機に導く前にＢＯＤ値または撹拌開始からの時間を測定して、悪臭が消滅したと判断する値に達したことを確認し、さらに固液分離した液のＳＳ値が所定値以下あるいは沈殿槽または上澄液槽に移ってからの時間を測定し、懸濁物質の程度が所定以下になったと判断して消臭液に導き再利用可能とするものである。その動植物性有機廃棄物等を利用して消臭液と燃料を製造し、環境的にもメリットがある。
【図面の簡単な説明】
【００２４】
【図１】本発明の動植物性有機廃棄物等処理装置及び方法の概念図である。
【図２】本発明の動植物性有機廃棄物等処理装置及び方法で生成する第１の実施例を示すブロック図である。
【図３】本発明の動植物性有機廃棄物等処理装置及び方法で生成する第２の実施例を示すブロック図である。
【図４】本発明の動植物性有機廃棄物等処理装置及び方法で生成する制御装置の内容を示すフローチャートである。
【図５】本発明の動植物性有機廃棄物等処理装置及び方法で動物性有機廃棄物の代わりに堆肥を用いた第３の実施例を示すブロック図である。
【図６】本発明の動植物性有機廃棄物処理装置及び方法で生成した第３の実施例の制御装置の内容を示すフローチャートである。
【図７】本発明の動植物性有機廃棄物処理装置及び方法の第４の実施例を示すブロック図である。
【図８】本発明の動植物性有機廃棄物処理装置及び方法の第４の実施例を示すフローチャートである。
【発明を実施するための最良の形態】
【００２５】
以下、本発明の実施の形態を図１から図６に基づいて説明する。
【００２６】
図１は本発明の動植物性有機廃棄物等処理装置及び方法の概念図である。
家畜の糞尿等の有機廃棄物、堆肥等の動植物性有機廃棄物等に消臭液を注入して撹拌機で撹拌したのち、固液分離機に移して固液分離した固形物を燃料として、液体分を消臭液として再使用する動植物性有機廃棄物等処理装置および処理方法を示す。
１は２で示す消臭液を貯留した消臭液貯留槽で、消臭液貯留槽１にある消臭液を１Ａで示す消臭液ビンに詰め替えて、消臭液ビン１Ａの消臭液２を、３で示す動植物性有機廃棄物槽に収容された動植物性有機廃棄物等４に注入する。動植物性有機廃棄物等４が収容された動植物性廃棄物槽３を矢印で示すように５で示す撹拌機の中に投入する。撹拌機５は撹拌羽根５Ａを備え、不図示のモータで撹拌羽根５Ａを回転させることによって撹拌機５の中に投入された動植物性有機廃棄物等４と消臭液３とを撹拌して混合する。ここでＢＯＤ値がはじめは高かったのであるが撹拌時間の経過とともに減少し、所定値以下になったときに、ホース５Ｂより、６で示す固液分離機に導く。固液分離機６は外筒に対して回転する内筒６Ａがあり、内筒６Ａには例えば網のように複数の孔６Ｂが配され、内筒６Ａが回転することにより、脱水された固形物は内筒に残り、分離液体は孔６Ｂを介して内筒の外に出て分離液体と分離固形物に分離される。
【００２７】
ＢＯＤ値を検出する装置として、紫外線を撹拌機５の中で撹拌されている動植物有機廃棄物等に照射し、波形を解析し、あらかじめ記憶した参照スペクトルと比較演算してＢＯＤ値を求める方法がすでに提案されている（例えば、特開２００３−８０２３６）。また、この種の装置として、その演算時間が４０秒以内で出力する装置が実際に販売されており、このような装置を撹拌機に付設する。
【００２８】
分離液体７は８で示す沈殿槽に、分離固形物９は１０で示す分離固形物槽に導かれる。沈殿槽８の中の分離液体７の上澄液１１は上澄液槽１２に導かれ、上澄液１１のＳＳ値が所定値以下になると、消臭液１３として消臭液槽１４に導かれる。上澄液１１の消臭液用とする以外の液１５は循環浄化処理槽１６で浄化処理されて液体肥料１７として液体肥料槽１８に導かれる。分離固形物槽１０の中の分離固形物９は１９で示す乾燥機に導かれる。
【００２９】
ＳＳ値を検出する装置として、ＢＯＤ値検出装置と同じように上澄液１１に対して紫外線を投射し、その吸光度から上澄液の汚濁の程度を検出することができる方法が提案されている（例えば特開２００３−８０２３６）。このようなＳＳ値検出装置を上澄液槽１２に付設する。
【００３０】
ここでＢＯＤ値検出装置、ＳＳ値検出装置について述べたが、実際にＢＯＤ値、ＳＳ値を検出せずに実際にＢＯＤ値、ＳＳ値がそれぞれ所定値以下に低下する時間を計測してもよく、これについては後で説明する。
【００３１】
図２は本発明の動植物性有機廃棄物等処理装置及び方法で生成し、固液分離機６で生成した分離固形物９を固形燃料とし、分離液体７を消臭液、液体肥料として使用するブロック図を示す。
【００３２】
消臭液貯留槽１にある消臭液２を動植物性有機廃棄物等槽３に収容された動物性有機廃棄物４に注入する。消臭液２を注入した動植物有機廃棄物４Ａを撹拌機５に入れて撹拌する。
【００３３】
撹拌機５にはＢＯＤ値を検出するＢＯＤ検出器５Ａが配されており、撹拌機５の中に投入された消臭液２が注入されている動植物性廃棄物４Ａを撹拌し、１００で示す制御装置がそのＢＯＤ値が所定値以下に下がったかどうかを判定し、所定値以下に下がったときに固液分離機６へ動植物性廃棄物４Ａを導くことを許可する。
【００３４】
固液分離機６の中に設けられたタイマー６Ｃで計測した所定時間後に分離液体７と分離固形物９とに分離されて固液分離が中止され以下に示すように次工程に移される。
【００３５】
分離液体７は沈殿槽８に導かれ、沈殿槽８の中に沈殿した沈殿固形物８Ｂは６固液分離機で分離された分離固形物９に統合される。
【００３６】
沈殿槽８の上澄液１１は上澄液槽１２に移される。上澄液槽１２と、消臭液槽１４と液体肥料とするための循環浄化処理槽１５との間に設けられ、消臭液１３、液体肥料１６の量をそれぞれ設定する設定手段１８が設けられている。上澄液１１の消臭液１３に導く分のＳＳ値を検出するためにＳＳ値検出器１２Ａが設けられ、ＳＳ値検出器１２ＡでＳＳ値が所定値以下に落ちたときは消臭液槽１４に導く。液体肥料１６は製造後に例えば畑地散布用として使われる。
【００３７】
固液分離機６で固液分離して脱水した分離固形物９と沈殿槽８からの沈殿固形物８Ｂとを統合し、乾燥機１９に導いて乾燥させる。
【００３８】
ここで、沈殿固形物８Ｂと統合された分離固形物９は乾燥機１９で乾燥されてのち、粉砕機２０で粉砕される。粉砕された状態の粉末燃料とするか、粉末燃料の集合体からなるかたまり状燃料にするかを選択する選択手段２１が設けられている。選択手段２１によりかたまり状燃料と選択したとき、かたまり状燃料造粒機２２で上記粉砕された燃料を、かたまり状に成型して、乾燥機１９で再度乾燥して有機物かたまり状燃料包装機２３で包装に包み、かたまり状燃料保管庫２４に導いて保管する。かたまり状燃料を、たとえば１０ミリ角サイズのメッシュの網、または５０ミリ角サイズのメッシュの網でふるい分けして所望のサイズのかたまり状燃料、または丸型形状のかたまり状燃料とサイズを所望の大きさ、所望の形に成形することができる。
【００３９】
また、選択手段２１により、沈殿固形物８Ｂと統合された分離固形物９を粉末燃料とすると選択した場合、乾燥機１９で乾燥の後、有機物粉末燃料包装機２５で包装し、粉末燃料保管庫２６に保管する。
【００４０】
図２では、撹拌機５に入れる動物性有機廃棄物４Ａに消臭液を注入して生物化学的酸素要求量を検出するＢＯＤ値検出装置を設け、固液分離機６で固液分離した分離液体を沈殿槽８に入れて上部にある上澄液のＳＳ値も懸濁物質の量を検出するＳＳ値検出器を設けた。
図３では、ＢＯＤ値、ＳＳ値も時間が経過すればそれぞれの値が低下する知見に基づき、撹拌機５内の動物性有機廃棄物４ＡのＢＯＤ値、上澄液槽１２内の上澄液１１のＳＳ値をそれぞれの撹拌機５の作動開始、沈殿槽８または上澄液槽１２に分離液体７を投入してからの時間を計測し、その時間をＢＯＤ値、ＳＳ値の代用とする。
【００４１】
ここで平成１６年４月１５日、大谷養豚場で測定した排水水質結果を表１に示す。但し、消臭液は使用していない。消臭液を用いれば同一時間であってもＢＯＤ値、ＳＳ値が小さくなる。
【００４２】
【表１】
2011078906.tif 000003
【００４３】
平成１６年４月１５日、谷口養豚場で測定した排水水質結果を表２に示し、表１と同に消臭液を用いていない。消臭液を用いれば表１と同様に同一時間であってもＢＯＤ値、ＳＳ値が小さくなる。
【００４４】
【表２】
2011078906.tif 000004
【００４５】
図４は、本発明の動植物性有機廃棄物処理装置及び方法で生成した分離固形物を粉末燃料またはかたまり燃料（成形された燃料を含む）を含む固形燃料として使用し、液体を消臭液、液体肥料として使用する際の制御装置の内容を示すフローチャートを示す。
【００４６】
Ｓ１で消臭液を動植物性有機廃棄物に注入し、Ｓ２で、撹拌機５で撹拌する。ここで、図２で示したようにＢＯＤ値を検出するか、または図３で示したようにタイマーを使うかどうかを判定し、ＢＯＤ値を使用する場合はＳ４に進む。Ｓ４でＢＯＤ値がＡ以下の値になったとき、Ｓ５に示すように消臭液と一緒に撹拌された動植物性有機廃棄物を固液分離機６に移し、固液分離を行う。
【００４７】
またＳ３でＢＯＤ値を使用しない場合はタイマーを用い、あらかじめ用意された動植物性有機廃棄物の種類、量、注入した消臭液、消臭液の量とＢＯＤ値が所定以下になるデータを利用して撹拌時間を決定し、Ｓ６で示すようにその時間に達したときに固液分離機に撹拌された動植物性有機廃棄物を移す。
【００４８】
Ｓ７での固形分と、Ｓ８で液体分を沈殿槽８に移し、Ｓ９で沈殿した固形分と一緒にＳ１０に導き乾燥させるために乾燥機１８に移す。Ｓ１１で固形燃料とし、Ｓ１２で細分化する。
【００４９】
Ｓ１２の細分化に際して、図３で説明したように、沈殿固形物８Ｂと統合された分離固形物９は乾燥機１９で乾燥されてのち、粉砕機２０で粉砕される。粉砕された状態の粉末燃料とするか、粉末燃料の集合体からなるかたまり状燃料にするかを選択する選択手段２１が設けられている。選択手段２１によりかたまり状燃料と選択したとき、かたまり状燃料造粒機２２で上記粉砕された燃料を、かたまり状に成型して、乾燥機１９で再度乾燥して有機物かたまり状燃料包装機２３で包装に包み、かたまり状燃料保管庫２４に導いて保管する。かたまり状燃料を、たとえば１０ミリ角サイズのメッシュの網、または５０ミリ角サイズのメッシュの網でふるい分けして所望のサイズのかたまり状燃料、または丸型形状のかたまり状燃料とサイズを所望の大きさ、所望の形に成形することができる。
【００５０】
Ｓ１３で、湿度を検出し、湿り度がＣ％以上でない場合は、Ｓ１６の包装工程に進み、湿り度がＣ％以上のときはＳ１４に進み、乾燥させ、Ｓ１６の包装工程の前に、再度湿り度を測定し、Ｓ１５に示すように湿り度が上記のＣ％より低いＤ％以上ならば再度乾燥機に入れて乾燥させ、湿り度がＤ％以上でなければかたまり状燃料保管庫２２で保管する。Ｓ１３とＳ１５で湿り度判定のレベルがＳ１５の方が厳しいのはＳ１０で乾燥のあと、Ｓ１３で湿り度がＣ％以上ならば、湿りやすい傾向があるのでＳ１５の湿りどの判定レベルを高く設定した。
【００５１】
Ｓ９で液体分についてはまず、Ｓ１８で所定量を液体肥料用として分けてＳ１９に示すように液体肥料として保管し、Ｓ２０で懸濁物質の量としてＳＳ値を使用するか否かを判定し、ＳＳ値を使用する場合は、Ｓ２１に示すようにＳＳ値が所定値以下になるまで待って、Ｓ２２に示すように消臭液として保管する。また、Ｓ２３で示すように、ＢＯＤ値と同様に沈殿槽の上澄液に関してこれまでどの程度時間が経過すれば消臭液として使用できるかについてのデータを基に決めた沈殿槽８または上澄液槽１１に導かれて所定の時間以上経過したときに、Ｓ２２で示すように消臭液として消臭液保管庫に保管する。
【００５２】
図５は、本発明の動植物性有機廃棄物等処理装置及び方法で、図１、図２の動植物性有機廃棄物４Ａの代わりに堆肥３０を適用した第３の実施例に関するブロック図を示す。図１における動植物性廃棄物の代わりに３０を堆肥とし、撹拌機５に堆肥３０と消臭液貯留槽１からの消臭液を加えて撹拌する。ここで撹拌機５の中にある堆肥のＢＯＤ値をＢＯＤ検出器または図３と同様にタイマーを用いるかどうかを決定し、ＢＯＤ値が所定値以下になる、またはなったと想定されると、固液分離機６に導かれる。
【００５３】
固液分離機６から出た分離液体７を沈殿槽８に移し、上澄液を上澄液槽１１に移し、所定の量を循環浄化処理槽１５に導き、液体分の所定量を液体肥料１６とし、畑地散布用とする。
【００５４】
固液分離機６から出た有機物無臭処理固形物３１と沈殿槽８に残留した沈殿固形物１０とを統合し、機械乾燥または天日乾燥等の乾燥３２を行って後、乾燥貯留倉庫３３に格納し、ボイラー３４で燃焼させ、燃料灰・肥料製品・土壌改良剤３５とする。
【００５５】
図６は、図５の第３の実施例に関するフローチャートを示す。
Ｓ３１で堆肥３０と消臭液２を撹拌機５に投入して、Ｓ３２で撹拌し、Ｓ３３で撹拌機内のＢＯＤ値を採用するか否かを決定し、採用した場合はＳ３４でＢＯＤ値が所定値Ａ以下になるとＳ３５で示すように固液分離し、またＳ３６のように、ＢＯＤ値を採用しない場合は図４と同様に撹拌作業開始からＢＯＤ値が所定値Ａ以下になると想定される所定時間後にＳ３５に示すように固液分離する。
【００５６】
固液分離後、Ｓ３７で分離された固形物（図５では有機無臭処理固形物３１と記述）は固液分離後、液体分はＳ４１で沈殿槽８での沈殿固定物１０と統合され、Ｓ３８で乾燥、Ｓ３９で燃焼後、Ｓ４０で、灰・肥料・土地改良剤とする。また、Ｓ３９の燃焼中に発生した余熱をＳ３８にもどして乾燥に役立てることができる。
【００５７】
沈殿槽８での上澄液１１が上澄液槽１２に導かれてＳ４３で所定量を液体肥料用とし、Ｓ４４で液体肥料として保管する。
【００５８】
上澄液の入った上澄液槽１２の液体肥料以外のものは図４と同様にＳ４５でＳＳ値を採用して判定する場合、Ｓ４６でＳＳ値が所定値Ｂ以下になった場合はＳ４７で示すように消臭液として保管する。
【００５９】
また、ＳＳ値を採用しない場合は図４と同様に上澄液槽１１に上澄液を入れて所定時間ｔ２時間後にはＳＳ値が所定値以下になっていると想定し、消臭液として保管する。
【００６０】
図７は、本発明の動植物性有機廃棄物処理装置及び方法の第４の実施例を示すブロック図である。
図面上、図２に対して沈殿槽８、所定時間を計測するタイマー８Ａの後に、沈殿固形物８Ｂの前に、吸着剤８Ｃを配したものである。沈殿槽８で所定時間を計測するタイマー８Ａの作動後、生成される沈殿固形物８Ｂに対して吸着剤、例えば木材を木粉のように小さくしたようなものを注入して沈殿固形物８Ｂと一緒にさせて固液分離された分離固形物９と統合する。その後、乾燥機１９に導く。
【００６１】
図８は、本発明の動植物性有機廃棄物処理装置及び方法の第４の実施例の作動を示すフローチャートである。
【００６２】
Ｓ５１で消臭液を動植物性有機廃棄物に注入し、Ｓ５２で撹拌する。ここで、図２で示したようにＢＯＤ値を検出するか、または図３で示したようにタイマーを使うかどうかを判定し、ＢＯＤ値を使用する場合はＳ５４に進む。Ｓ５４でＢＯＤ値がＡ以下の値になったとき、Ｓ５５に示すように消臭液と一緒に撹拌された動植物性有機廃棄物を固液分離機５６に移し、固液分離を行う。
【００６３】
またＳ５３でＢＯＤ値を使用しない場合はタイマーを用い、あらかじめ用意された動植物性有機廃棄物の種類、量、注入した消臭液、消臭液の量とＢＯＤ値が所定以下になるデータを利用して撹拌時間を決定し、Ｓ５６で示すようにその時間に達したときに固液分離機に撹拌された動植物性有機廃棄物を移す。
【００６４】
Ｓ５７での固形分と、Ｓ５８で液体分を沈殿槽に移し、Ｓ５９で沈殿した固形分をＳ６０で吸着物に吸着させて、Ｓ５７で固形部と一緒にＳ６１に導き乾燥させるために乾燥機１８に移す。Ｓ６２で固形燃料とし、Ｓ６３で細分化する。
【００６５】
Ｓ６３の細分化において、粉砕機１９で得られた粉末燃料を成型し、かたまり状の燃料にするが、その際にかたまり状燃料を、たとえば１０ミリ角サイズのメッシュの網、または５０ミリ角サイズのメッシュの網でふるい分けして所望のサイズのかたまり状燃料、または丸型形状のかたまり状燃料とサイズを所望の大きさ、所望の形に成形することができる。
【００６６】
Ｓ６４で、湿度を検出し、湿り度がＣ％以上でない場合は、Ｓ６７の包装工程に進み、湿り度がＣ％以上のときはＳ６５に進み、乾燥させ、Ｓ６７の包装工程の前に、再度湿り度を測定し、Ｓ６６に示すように湿り度が上記のＣ％より低いＤ％以上ならば再度乾燥機に入れて乾燥させ、湿り度がＤ％以上でなければかたまり状燃料保管庫２２で保管する。Ｓ６４とＳ６６で湿り度判定のレベルがＳ６６の方が厳しいのはＳ６１で乾燥のあと、Ｓ６４で湿り度がＣ％以上ならば、湿りやすい傾向があるのでＳ６６の湿りどの判定レベルを高く設定した。
【００６７】
Ｓ７０で液体分についてはまず、Ｓ６９で所定量を液体肥料用として分けてＳ１９に示すように液体肥料として保管し、Ｓ７１で懸濁物質の量としてＳＳ値を使用するか否かを判定し、ＳＳ値を使用する場合は、Ｓ７２に示すようにＳＳ値が所定値以下になるまで待って、Ｓ７３に示すように消臭液として保管する。また、Ｓ７４で示すように、ＢＯＤ値と同様に沈殿槽の上澄液に関してこれまでどの程度時間が経過すれば消臭液として使用できるかについてのデータを基に決めた所定の時間以上経過したときに、Ｓ７３で示すように消臭液として消臭液保管庫に保管する。
【００６８】
図４、図６、図８のフローチャートでＳＳ値相当の時間経過のタイマーのカウント開始が沈殿槽８に消臭液が注入された動植物性廃棄物または堆肥が投入されてからの時間をカウントしているが、沈殿槽８でなくて上澄液槽１２に投入されてからの時間でもよい。
【００６９】
請求項で動植物性有機廃棄物等と記載しているが、動物の糞尿、焼酎粕等の動植物性廃棄物または堆肥を含むものである。
【産業上の利用可能性】
【００７０】
以上、詳述したように、本発明の動植物性有機廃棄物等処理装置及び方法では、まず動植物性有機廃棄物等に消臭液を注入し、撹拌機で撹拌後、固液分離機に導く前にＢＯＤ値または撹拌開始からの時間を測定して、悪臭が消滅したと判断する値に達したことを確認して悪臭が外に出ないようにすることができる。さらに固液分離した液のＳＳ値が所定値以下あるいは沈殿槽または上澄液槽に移ってからの時間を測定し、懸濁物質の程度が所定以下になったと判断して消臭液に導き、消臭液としてクリーンな状態で再利用できる。その動植物性有機廃棄物等を利用して消臭液と燃料を製造し、環境的にもメリットがある。 
【００７１】
動植物性有機廃棄物等のバイオマスは有機物であるため、燃焼させると二酸化炭素が排出されるが、しかしこれに含まれる炭素は、そのバイオマスが成長過程で光合成により大気中から吸収した二酸化炭素で循環されるため、バイオマスを使用しても全体として見れば大気中の二酸化炭素量を増加させていないと考えてよいとされるので、バイオマスは二酸化炭素削減地球温暖化対策、環境循環対策の構築などの取り組みを通じて脚光を浴びている新規でクリーンなエネルギーとして、環境温暖化防止に役立つというメリットがある。
【００７２】
日本では、落葉や糞尿を肥料として利用していたほか、里山から得られる薪炭をエネルギーとして利用するなどバイオマスを活用した社会であったが、石油起源の資材、燃料などへの置換により、顧みられることが少なくなったバイオマスであるが、近年、廃棄物処理コストの高騰などから高度利用を模索する自治体が増えているが、しかし、バイオマスの欠点である資源の分散性、低カロリー、高含水比といった欠点を克服できず、実験的な利用にとどまっている事例がほとんどであるが、その欠点を解決したものである。
【００７３】
現在の日本におけるペレット燃料の普及の現況は、多種の問題を抱えていて、木質材料を海外から調達しているところもありますが、日本国内の林業衰退により木質原料が不足している現況では大量安定供給に不安があり、化石燃料は遠くの国から輸入して大量のＣＯ2を排出しているわけであり、将来において化石燃料に頼らない燃料の開発は国家プロジェクトで新規な技術に補助金を出す方向で進んでいますが、決め手がなく、再生可能なエネルギー、つまり、水力・風力・太陽熱・地熱・バイオマスなどの、化石燃料代替エネルギーを開発しなければならないのが急務で、その問題を解決するメリットがある。
【００７４】
畜産糞尿の発生量は年間1億トンあり、食品残差物及び汚泥は年間約4億トンも発生し、木材も林業を復活させると処理する間伐材や風倒木や流木等も年間１億トン発生し、更に、草・藁・籾殻・竹・選定材等も1億トン発生し、これらの９０％は農業生産物の肥料に堆肥化していますが此れも消臭し悪臭が発生しないので、燃料となり、これらを各地に分散して集荷製造工場を設置して燃料化販売するシステムを構築すると、輸送コストの削減、産業廃棄物が減少し、環境改善に貢献し、廃棄物に対する処理費用が軽減されると環境保全と土壌汚染や排水路や河川の汚濁を防止することになる技術と装置とその方法である。
【００７５】
気温は地球の体温のようなもので、地球全体の平均気温は、自然の仕組みのおかげでほぼ一定に保たれていましたが、近年急激に地球の体温が上昇し、この地球温暖化に対処するため、2012までに、二酸化炭素排出量を、1990年の水準から、6％削減する事を世界に約束し、更に、このたび、日本は２５％削減を約束しました、これからの対策として、エネルギーの使用量を減らす省エネルギーと、これまで捨てられていた資源を生かす新エネルギーに必要不可欠な技術と装置とその方法である。
【符号の説明】
【００７６】
１      消臭液貯留槽
２      消臭液
３      動植物性有機廃棄物槽
４      動植物性有機廃棄物等
５      撹拌機
５Ａ    撹拌羽根
６      固液分離機
６Ａ    内筒
６Ｂ    孔
６Ｃ    タイマー
７      分離液体
８      沈殿槽
８Ａ    タイマー
８Ｂ    沈殿固形物
８Ｃ    吸着物
９      分離固形物
１０    分離固形物槽
１１    上澄液
１２    上澄液槽
１３    消臭液
１４    消臭液槽
１５    循環浄化処理槽
１６    液体肥料
１７    液体肥料槽
１８    設定手段
１９    乾燥機
２０    粉砕機
２１    選択手段
２２    かたまり状燃料造粒機
２３    有機物かたまり状燃料包装機
２４    かたまり状燃料保管庫
２５    有機物粉末燃料包装機
２６    粉末燃料保管庫
３０    堆肥
３１    有機物無臭処理分離固形物
３２    乾燥方法・機械・天日
３３    乾燥貯留倉庫
３４    ボイラー
３５    燃料灰・肥料製品・土地改良剤
【図１】
2011078906.tif 000005
【図２】
2011078906.tif 000006
【図３】
2011078906.tif 000007
【図４】
2011078906.tif 000008
【図５】
2011078906.tif 000009
【図６】
2011078906.tif 000010
【図７】
2011078906.tif 000011
【図８】
2011078906.tif 000012